(57)【要約】【課題】  枠体を壁に突張らせて固定するものでありながら、枠体を常時しっかりと壁に保持でき、壁を傷付けるおそれをなくす。【解決手段】  壁３４に当接する上突張り部３２および下突張り部２６，２８を持つ縦部材１２，１４、下突張り部２６，２８の間に縮装されこれら下突張り部２６，２８を左右の壁３４に押圧する下突張り部材１８、両縦部材１２，１４の間に縮装されその両端が両縦部材１２，１４を壁３４に向かって押圧しつつ両縦部材１２，１４に対して上下にスライド可能な上突張り部材１６、上突張り部材１６を少なくともそのスライド範囲の上限位置で両縦部材１２，１４にロックするロック手段４８、両縦部材１２，１４と下突張り部材１８と上突張り部材１６との間に張り渡され上下方向に伸縮可能な保護部材５４、を備える。【選択図】      図２
2007014587.tif 000002
【特許請求の範囲】
【請求項１】
通路を挟んで対向する左右一対の壁の間に設置され、幼児の通行を制限するための幼児用安全柵であって、
上下端に壁に当接する上突張り部および下突張り部を持つ左右一対の縦部材と、
これら両縦部材の下突張り部の間に縮装され、これら下突張り部を左右の壁に押圧する下突張り部材と、
前記両縦部材の間に縮装されその両端が前記両縦部材を壁に向かって押圧しつつ前記両縦部材に対して上下にスライド可能な上突張り部材と、
前記上突張り部材を少なくともそのスライド範囲の上限位置で前記両縦部材にロックするロック手段と、
前記両縦部材と下突張り部材と上突張り部材との間に張り渡され少なくとも前記上突張り部材のスライド範囲内で上下方向に伸縮可能な保護部材と、を備えること特徴とする幼児用安全柵。
【請求項２】
縦部材の上・下突張り部は縦部材の中間部より外側に突出し、上・下突張り部が壁に当接した状態でこの中間部が壁から離れている請求項１の幼児用安全柵。
【請求項３】
上突張り部材の両端には、縦部材に上下スライド可能に係合するケースと、
前記ケースに保持され縦部材に通路側から壁向きに転接するローラとを備える請求項１または２の幼児用安全柵。
【請求項４】
ロック手段は、上突張り部材の下方に延出するレバーと、
このレバーを下方に復帰させる復ばねと、
このレバーの復帰位置で縦部材に係合してロック状態とする係合爪とを備える請求項１〜３のいずれかの幼児用安全柵。
【請求項５】
上・下突張り部材は、それぞれ互いに長さ方向にスライド可能かつ回動可能に組合せた内・外パイプと、これら内・外パイプの内側に装填された長いコイルばねとを備え、このコイルばねの一端寄りを内・外パイプの一方に固定しこのコイルばねの他の位置を内・外パイプの他方を直径方向に横断する横断ピンに係合させ、内・外パイプの相対回転によって前記横断ピンとコイルばねとの係合位置を変化させる請求項１〜４のいずれかの幼児用安全柵。
【請求項６】
保護部材は長方形の４つの各辺を左右の縦部材および上・下突張り部材に巻掛けて着脱可能に張り渡された布またはネットで形成されている請求項１〜５のいずれかの幼児用安全柵。
【発明の詳細な説明】
【技術分野】
【０００１】
この発明は、住宅内の廊下や部屋の出入口などに設置して幼児の通行を制限する幼児用安全柵に関するものである。
【背景技術】
【０００２】
幼児が勝手に動き回るのを制限し予め決めた安全な範囲から勝手に出るのを防ぐため、廊下や部屋の出入口、階段の降り口や登り口などの適宜の場所に安全柵を設けることが従来より行われている。このような安全柵では保護者や子供が出入りする時に開閉可能にする必要がある。
【０００３】
【特許文献１】特開２００３−３３９４８６
【特許文献２】特開平１１−２４１５５１
【特許文献３】特開２００４−１３０１２１
【特許文献４】特開平１１−３３２７０３
【特許文献５】特開２００３−２９３６４３
【０００４】
特許文献１、２，４には、左右の側枠（縦部材）の下端を下枠で接続した略凹状の枠体（フレーム）を対向する壁の間に突張らせて保持し、一方の側枠にドア体を前後に開閉可能に枢支したものが示されている。すなわちドア体は一方の側枠に垂直な軸で枢支され、他方の側枠にロック可能としたものである。
【０００５】
特許文献３には、左右の支柱（縦部材）と下枠とを凹状に組合せたフレームを左右の壁の間に突っ張らせて保持し、左右に２分割したドアをそれぞれ垂直な支軸によって両支柱に回動可能に保持したものが示されている。なお特許文献４には、特許文献３と同様にドアを左右に２分割して左右両支柱に枢支することも示されている。
【０００６】
特許文献５には、対向する壁（あるいは柱などの建物躯体）にそれぞれ取付部材を固着し、一方の壁に固定した取付部材にドアの一側縁を垂直な支軸回りに回動自在に保持し、ドアの他側縁を他方の壁に固定した取付部材にロック可能にしたものが示されている。ここにドアの回動端寄りの下部にはキャスタ輪を設け、キャスタ輪を床面に転動させつつドアを前後方向に回動させるものである。
【発明の開示】
【発明が解決しようとする課題】
【０００７】
このように特許文献１〜４のものは、枠体（フレーム）を凹状として両側の側枠を壁に内側から突張らせて固定するものであった。そしてこのように壁に固定した枠体に１枚あるいは２分割したドアを前後に回動自在に枢支したものであった。
【０００８】
しかしこの場合枠体（フレーム）は壁に押し付けて（突張らせて）固定するため、ドアを開いた時には枠体の固定が不安定になり枠体が移動したりドアが傾くという問題が生じ易い。すなわちドアを閉じた時にはドアを支えにして側枠を壁に強く押圧させる（突張らせる）ことができるが、ドアを開いた時には側枠は下端だけで支持される状態となるからである。特許文献５のものは壁に取付部材を木ねじや接着剤などで固定しておくのでこのような問題が生じないが、この場合は壁を傷付けたり汚すことになり、壁の材質によっては木ねじが使えなかったり、しっかりと固定できないという問題があった。また取付位置を変更する時には取付部材を壁から脱着しなければならず不便であった。
【０００９】
この発明はこのような事情に鑑みなされたものであり、枠体を壁に突張らせて固定するものでありながら、枠体を常時しっかりと壁に保持することができ、壁を傷付けるおそれがなく、壁の材質によっては使えないという問題が生じることもなく設置位置の変更も容易である幼児用安全柵を提供することを目的とする。
【課題を解決するための手段】
【００１０】
この発明によればこの目的は、通路を挟んで対向する左右一対の壁の間に設置され、幼児の通行を制限するための幼児用安全柵であって、上下端に壁に当接する上突張り部および下突張り部を持つ左右一対の縦部材と、これら両縦部材の下突張り部の間に縮装され、これら下突張り部を左右の壁に押圧する下突張り部材と、前記両縦部材の間に縮装されその両端が前記両縦部材を壁に向かって押圧しつつ前記両縦部材に対して上下にスライド可能な上突張り部材と、前記上突張り部材を少なくともそのスライド範囲の上限位置で前記両縦部材にロックするロック手段と、前記両縦部材と下突張り部材と上突張り部材との間に張り渡され少なくとも前記上突張り部材のスライド範囲内で上下方向に伸縮可能な保護部材と、を備えること特徴とする幼児用安全柵、により達成される。
【００１１】
すなわち左右一対の縦部材の上下端を壁に当接させる一方これら縦部材と上下一対の突張り部材とで矩形の枠体を形成し、上の突張り部材を縦部材に対して上下スライド可能にした。そして保護者が通る時には上突張り部材を下げてその上を跨げるようにしたものである。
【発明の効果】
【００１２】
左右の縦部材は上・下突張り部材によってその上下端が壁に押圧されているから、矩形の枠体は壁にしっかりと固定される。ここに上突張り部材は縦部材に対して上下にスライド自在であり、枠体に張り渡した保護部材は上突張り部材の上下スライド範囲内で上下方向に伸縮可能であるから、幼児の出入りを規制する時には上突張り部材を高い位置にロックすることができる。
【００１３】
また保護者が出入りする時にはロックを解除して上突張り部材を下へスライドさせればよい。この時上突張り部材は常に縦部材を壁に向かって押しているから、縦部材の壁に対する押圧力が過度に減少することがなく、枠体が不安定になって移動したり傾いたりするおそれがない。さらに壁に木ねじや接着剤を用いる必要がないので壁を傷めたり汚す恐れがなく、設置場所を変更するのも簡単である。
【発明を実施するための最良の形態】
【００１４】
この幼児用安全柵は廊下などの壁間や、ドアの枠材間、柱間などに設置できる。従って本発明で壁はドア枠や柱などを含む広い概念である。縦部材は上下端の突張り部が壁に向かって突出し、中間部分が突壁から離れるようにすれば、上・下突張り部材の突張り力が上下の突張り部に集中し、壁にしっかりと固定できる（請求項２）。また中間部分が壁から離れているので、この中間部分を上突張り部材の左右両端部（スライド部材）に上下方向へ貫通させることができ枠体の組立性が良い。
【００１５】
上突張り部材の両端には、縦部材が上下スライド可能に係合する（貫通する）ケースを固定し、このケース内に縦部材に内側から（通路側から壁向きに）転接するローラ、好ましくは上下一対のローラ、を保持するのがよい。ローラが上突張り部材を縦部材に対して上下スライド可能にしつつ上突張り部材の突張り力を縦部材に円滑に伝えることができるからである（請求項３）。
【００１６】
ロック手段には上突張り部材の下方に延出するレバーを設ければ、幼児が手を上突張り部材に上から掛けた時にもレバーは不用意に操作されるおそれがない。レバーには上突張り部材の所定位置、例えば上に引き上げた位置で、縦部材に係合する係合爪を設けておけば、上突張り部材が不用意に下降することがない（請求項４）。
【００１７】
上・下突張り部材は突張り方向すなわち伸長方向への復帰習性を持つと共に、取付ける壁の間隔に対応して長さを調節可能にするのがよい。長さを調節可能にする場合は保護部材は上下方向だけでなく、幅方向にも伸縮可能にする必要がある。このような保護部材は例えば布やネットで作ったものとし、その４辺を枠体に巻掛けて面ファスナなどで着脱可能に取付けるものがよい（請求項６）。
【００１８】
上・下突張り部材は、互いに長さ方向にスライド可能かつ相対回転可能に組合せた内パイプおよび外パイプと、これら内・外パイプに内装した長いコイルばねとを備え、コイルばねの一端寄りを内・外パイプの一方に固定し、内・外パイプの他方に設けた直径方向の横断ピンをコイルばねの他の位置を係合させる構造とすることができる。この場合、内・外パイプを相対回転させることにより横断ピンがコイルばねに係合する位置を変化させ、突張り部材の長さと長さ方向の復元力（すなわち突張り力）を調節することができる（請求項５）。
【実施例】
【００１９】
図１は本発明の一実施例の使用状態を正面側から見た斜視図、図２はその保護部材を除いて枠体を背面側から示す正面図、図３はその内部構造を示す正断面図、図４は同じく正面側から見た斜視図、図５は同じく一部を破断して内部構造を示す斜視図、図６は上突張り部材の一端付近を背面側から見た拡大断図、図７は同じく斜視図、図８は上突張り部材を下げた状態を正面側から示す斜視図である。
【００２０】
これらの図で符号１０は枠体である。この枠体１０は左右一対の縦部材１２、１４と下突張り部材１６と、上突張り部材１８とを持つ。縦部材１２、１４はそれぞれ互いに長さ方向にスライド可能に組合せた内パイプ１２ａ、１４ａと外パイプ１２ｂ、１４ｂとを持つ。内パイプ１２ａ、１４ａと外パイプ１２ｂ、１４ｂは伸ばした状態でピン２０、２０でロックされる。
【００２１】
すなわちピン２０、２０は図２、３に示すように、内パイプ１２ａ、１４ａを下にした状態で内パイプ１２ａ、１４ａの上部にあって、Ｕ字状の板ばね２０ａ、２０ａにより内パイプ１２ａ、１４ａを半径方向に貫通して外向きに付勢されている。これらピン２０、２０は外パイプ１２ｂ、１４ｂを伸ばした状態で外パイプ１２ｂ、１４ｂに設けた係合孔に係入し、内パイプ１２ａ、１４ａと外パイプ１２ｂ、１４ｂとは互いにロックされる。ピン２０、２０を外側から内パイプ１２ａ、１４ａ、外パイプ１２ｂ、１４ｂの中心方向に押し込めばピン２０、２０のロックが解除され、縦部材１２、１４は短くすることができる。
【００２２】
縦部材１２、１４の下端は下突張り部材１６で連結され、これら下端間には外側への復元力（突張り力）が付与される。すなわち縦部材１２、１４の下端、すなわち内パイプ１２ａ、１４ａの下端には、略逆Ｔ字状の連結部材２２、２４が前記縦部材１２、１４のピン２０、２０と同様な構造によって着脱可能に固定され、これら連結部材２２、２４の間を下突張り部材１６が連結している。
【００２３】
下突張り部材１６は互いに長さ方向にスライド可能かつ回転可能に（すなわちテレスコピック状に）組合された内パイプ１６ａと、外パイプ１６ｂと、これらの内側に装填された長いコイルばね１６ｃとを備える。内パイプ１６ａは一方の連結部材２２に固定され、縦部材１２と直角になっている。外パイプ１６ｂは他方の連結部材２４に回転自在に保持され、縦部材１４と直角になっている。
【００２４】
すなわち連結部材２４には外パイプ１６ｂが挿入される円筒状のハンドル２４ａが回動可能に保持され、このハンドル２４ａに外パイプ１６ｂが固定されて両者は一体に回動可能である。長いコイルばね１６ｃの一端は、ハンドル２４ａの内側で外パイプ１６ｂに固定されている。すなわちコイルばね１６ｃの一端はリング状に直角に折り起こされ、その先端をストッパピン１６ｄに押し当てる一方、リング内を貫通する抜け止めピン１６ｅによりコイルばね１６ｃの回転が規制されかつ抜け止めされている。
【００２５】
コイルばね１６ｃの他端は内パイプ１６ａ内に延出し、内パイプ１６ａの外パイプ１６ｂ内への進入端付近を径方向に貫通する横断ピン１６ｆに係合している。このためハンドル２４ａを回転すると外パイプ１６ｂおよびコイルばね１６ｅが一体的に回転する。コイルばね１６ｃの回転により横断ピン１６ｆとの係合位置が変化する。この結果下突張り部材１６の長さと長さ方向の復元力（突張り力）を調節することができる。
【００２６】
連結部材２２、２４には、下突張り部材１６の延長方向外側に向かって突出する下突張り部２６、２８が一体的に形成されている。また縦部材１２、１４の上端には端部材３０、３０が固定されている。これらの端部材３０、３０には前記連結部材２２、２４の突張り部２６、２８と同方向に同寸法だけ突出する上突張り部３２、３２が一体的に形成されている。
【００２７】
これらの上突張り部３２、３２および下突張り部２６、２８は、この枠体１０を壁３４、３４（図２参照）の間に装着する時に、壁３４、３４を押圧して枠体１０を壁３４に固定するものであり、壁３４に接触する面には摩擦係数が大きいゴムが嵌め込まれている。ここに上突張り部３２、３２、下突張り部２６、２８は壁３４に向かって突出しているので、壁３４に固定した状態では縦部材１２、１４の中間部は壁３４から離れる。
【００２８】
上突張り部材１８は、縦部材１２、１４の外パイプ１２ｂ、１４ｂに対して上下にスライド自在なスライド部材３６、３８に連結されている。スライド部材３６、３８は左右割りのケース４０、４２を備え、これらケース４０、４２をそれぞれ縦部材１２、１４が垂直にかつ遊動可能に貫通する。
【００２９】
上突張り部材１８は前記下突張り部材１６とほぼ同じ構造である。すなわちスライド部材３６に内パイプ１８ａを固定する一方、スライド部材３８に回動自在に保持されたハンドル３８ａに外パイプ１８ｂを固定し、コイルばね１８ｃをこの外パイプにストッパピン１８ｄおよび抜け止めピン１８ｅで固定した。そしてハンドル３８ａを外パイプ１８ｂおよびコイルばね１８ｃとを一体的に回転することによりコイルばね１８ｃと横断ピン１８ｆとの係合位置を変えることができる。
【００３０】
スライド部材３６、３８のケース４０、４２内には、縦部材１２、１４の外パイプ１２ｂ、１４ｂに対して外向き（壁３４向き）に転接する上下一対のローラ４４、４４、４６、４６が装着されている。上突張り部材１８はコイルばね１８ｃによって伸び方向の復元力を持つから、ローラ４４、４４、４６、４６はこのコイルばね１８ｃの復元力によって外パイプ１２ｂ、１４ｂを壁３４向きに押圧すると共に、ローラ４４、４４、４６、４６の回転によってスライド部材３６、３８は上下に滑らかにスライド可能になる。
【００３１】
スライド部材３６、３８にはレバー４８などで形成されるロック手段が設けられている。図６は一方のスライド部材３６のみを示しているが他のスライド部材３８も同じ構造であるから、スライド部材３６のみを説明する。
【００３２】
レバー４８はケース４０内のローラ４４、４４の間に位置する支軸５０（レバー４８に一体形成されている、図７）により軸支されて、上突張り部材１８の下方に向かって延出する。このレバー４８には復帰ばね５２によって下向きの復帰習性が付与されている。またこのレバー４８には支軸５０の下方付近から外パイプ１２ｂに向かって突出する係合爪４８ａが設けられている。この係合爪４８ａは、上突張り部材１８を上昇させた位置（図１の使用位置）で、外パイプ１２ｂに形成した係合孔４８ｂに係入し、スライド部材３６をロックする。
【００３３】
従って上突張り部材１８の左右両端に上方から手の平を置き、この手の指を左右のスライド部材３６、３８のレバー４８に掛けて同時に引き上げれば、係合爪４８ａが係合孔４８ｂから脱出する。この状態でスライド部材３６、３８は、上突張り部材１８と共に下降可能になる。
【００３４】
このように構成された枠体１０には、保護部材５４が取付けられる。この保護部材５４は布やネットなどの可撓性の材料で作られている。保護部材５４の上下寸法は、縦部材１２、１４を最大に伸ばした寸法で上・下突張り部材１８、１６に巻掛けて面ファスナ５６（図１参照）で固定可能な寸法とされる。また左右の寸法は上・下突張り部材１８、１６を伸ばし、壁３４、３４の幅に適合させた状態で縦部材１２、１４に巻掛けて面ファスナで固定可能な寸法である。
【００３５】
なお保護部材５４の上部は上突張り部材１８に巻き掛けた時にロック手段のレバー４８も巻き込んでいる（図１参照）。このため幼児がいたずらしてレバー４８に触れないようにしている。
【００３６】
この安全柵は、壁３４、３４の間隔寸法に対応して、上・下突張り部材１６、１８の長さを調節する。そしてコイルばね１６ｃ、１８ｃの復元力により枠体１０の突張り部２６、２８、３２、３２を壁３４、３４に押圧させることにより枠体１０を壁３４、３４にしっかりと保持させる。レバー４８、４８を上方に引けば上突張り部材１８は上下動可能である。安全柵の使用時には上突張り部材１８を上昇させて図１〜５の位置にロックさせる。この状態では幼児の通行は規制される。
【００３７】
保護者が通る時には、レバー４８、４８を引き上げてロックを解除し、上突張り部材１８を下降させればよい（図８）。この時保護部材５４は可撓性なので蛇腹状に折畳まれていく。そして低くなった上突張り部材１８を跨いで容易に通過することができる。通過後に上突張り部材１８を引き上げて上昇位置にロックすれば、再び幼児の通行を規制することができる。
【図面の簡単な説明】
【００３８】
【図１】本発明の一実施例の使用状態を正面側から示す斜視図
【図２】その保護部材を除いて枠体を示す背面図
【図３】その内部構造を示す断面図
【図４】同じく斜視図
【図５】同じく一部を断面した斜視図
【図６】上突張り部材の一端付近の拡大断面図
【図７】同じく斜視図
【図８】上突張り部材を下げた状態を示す斜視図
【符号の説明】
【００３９】
１０  枠体
１２、１４  縦部材
１６  上突張り部材
１８  下突張り部材
１６ａ、１８ａ  内パイプ
１６ｂ、１８ｂ  外パイプ
１６ｃ、１８ｃ  コイルばね
１６ｆ、１８ｆ  横断ピン
２２、２４  連結部材
３６、３８  スライド部材
４０、４２  ケース
４４、４６  ローラ
４８  レバー（ロック手段）
４８ａ  係合爪
２６、２８  下突張り部
３２  上突張り部
５４  保護部材
５６  面ファスナ
【図１】
2007014587.tif 000003
【図２】
2007014587.tif 000004
【図３】
2007014587.tif 000005
【図４】
2007014587.tif 000006
【図５】
2007014587.tif 000007
【図６】
2007014587.tif 000008
【図７】
2007014587.tif 000009
【図８】
2007014587.tif 000010